(57)【要約】【課題】従来の遊技機においては、長時間の遊技に耐えられなかった。【解決手段】各表示窓３ａ〜３ｃに特別図柄列を変動表示している状態から、音声出力装置３３による音声の出力に同期させて、表示窓３ａでの特別図柄列の変動表示を２度仮停止した後に、最終停止する。次いで、音声出力装置３３による音声の出力に同期させて、表示窓３ｃでの特別図柄列の変動表示を２度仮停止した後に、最終停止する。この時点でリーチ状態が生じている場合には、リーチ演出を行った後、最後に表示窓３ｂについての変動表示を停止して、特別図柄ゲームを終了する。この場合、表示窓３ｃについて行われる２度の仮停止のうちのいずれかの仮停止の後に特別図柄が逆方向に変動表示すると、リーチ演出が行われ、そのリーチ演出の種類は、特別図柄列が逆方向に変動表示したタイミングにより遊技者に報知される。【選択図】  図９
2004254851.tif 000002
【特許請求の範囲】
【請求項１】
複数種類の特別図柄からなる複数の特別図柄列を変動表示する図柄表示手段と、始動入賞が発生すると大当たり判定を行う大当たり判定手段と、この大当たり判定手段の判定結果に応じて前記特別図柄列を変動表示する変動表示遊技を行う図柄表示制御手段とを備えて構成される遊技機において、
前記図柄表示制御手段は、少なくとも１つの前記特別図柄列の変動表示の停止態様の違いにより、その後の遊技の展開に関する情報を遊技者に報知することを特徴とする遊技機。
【請求項２】
前記情報は、大当たり入賞を発生させる直前の特別図柄の組み合わせを入賞ライン上に揃えるリーチ演出が前記変動表示遊技で行われる確率、または前記リーチ演出の種類、または前記大当たり判定の結果が大当たり入賞である確率を表す大当たり信頼度であることを特徴とする請求項１に記載の遊技機。
【請求項３】
前記図柄表示手段は，各特別図柄列についてそれぞれ所定の方向で特別図柄を変動表示し、前記図柄表示制御手段は，少なくとも１つの特別図柄列について，その変動表示の停止間際に，前記リーチ演出が前記変動表示遊技で行われる確率または前記リーチ演出の種類に応じた所定のタイミングで前記図柄表示手段による特別図柄の変動表示の方向を逆にすることを特徴とする請求項２に記載の遊技機。
【請求項４】
前記図柄表示制御手段は、少なくとも１つの特別図柄列についての停止表示タイミングを変えて前記大当たり信頼度の大きさを報知することを特徴とする請求項２に記載の遊技機。
【請求項５】
前記図柄表示制御手段は、停止表示タイミングが変わる特別図柄列の数により、前記大当たり信頼度の大きさを報知することを特徴とする請求項４に記載の遊技機。
【請求項６】
前記図柄表示手段は，複数種類の特別図柄が外周に描かれた回転リールであり、前記図柄表示制御手段は，前記回転リールの回転状態を変更して，前記特別図柄列の変動表示の停止態様を変更することを特徴とする請求項１から請求項５のいずれか１項に記載の遊技機。
【発明の詳細な説明】
【０００１】
【発明の属する技術分野】
本発明は、特別図柄を変動表示する変動表示遊技（以下、特別図柄ゲームという）を行う遊技機に関するものである。
【０００２】
【従来の技術】
従来、この種の遊技機としては、パチンコ機がある。従来の一般的なパチンコ機では、遊技盤の盤面に打ち込まれたパチンコ球が、盤面を流下する途中で一般入賞口に入賞すると所定数の賞球が払い出される。また、始動入賞口に入賞すると大当たり判定が行われ、その判定結果に基づいて演出が決定される。そして、大当たり判定の判定結果および決定された演出に基づき、遊技盤の盤面中央に設けられた表示窓の入賞ライン上に複数の特別図柄が複数列に変動表示される特別図柄ゲームが行われる。特別図柄ゲームでは、変動表示していた特別図柄が、大当たり判定結果に応じた組み合わせで表示窓の入賞ライン上に停止表示する。入賞ライン上に停止表示した特別図柄の組み合わせが同一図柄等の所定の組み合わせである場合には、大当たり入賞が発生する。大当たり入賞が発生すると、盤面下方に設けられた大入賞口が開放されて多量のパチンコ球が入賞し易くなる大当たり遊技が行われる。
【０００３】
また、特別図柄ゲームの変動表示中に、大当たり入賞を発生させる同一図柄の組合せが揃う直前のリーチ状態になると、遊技者の大当たり発生への期待感を高めるためのリーチ演出がなされる。リーチ演出としては、通常複数種類の演出が用意されている。各リーチ演出は、それぞれ大当たり判定の結果が大当たり入賞である確率を表す大当たり信頼度に対応付けられており、出現するリーチ演出の種類により、遊技者は大当たり信頼度を知ることができる。このため、様々な種類のリーチ演出を行うことにより、リーチ状態が生じてから変動表示が終了するまでの遊技動作中に、大当たり入賞の発生について遊技者に期待感を持たせたり、遊技者の興味を演出に引きつけることができる。
【０００４】
【発明が解決しようとする課題】
しかしながら、全ての特別図柄ゲームについてリーチ演出が行われるわけではなく、また、リーチ演出の種類によっては対応付けられた大当たり信頼度の値が低く、遊技者にとって注目すべきでないものもある。それにも関わらず、遊技者は、遊技の展開に関する情報を、リーチ状態が発生し、また、実際にリーチ演出が行われるまで知ることができず、その後の遊技の展開を予測できないため、各特別図柄ゲーム毎に、特別図柄列の変動表示の停止間際から実際にリーチ演出が行われるまで演出に注目しなければならない。このことは、遊技者によっては大きな負担を感じ、長時間の遊技に耐えられない場合もあった。
【０００５】
【課題を解決するための手段】
本発明は、このような課題を解決するためになされたもので、複数種類の特別図柄からなる複数の特別図柄列を変動表示する図柄表示手段と、始動入賞が発生すると大当たり判定を行う大当たり判定手段と、この大当たり判定手段の判定結果に応じて特別図柄列を変動表示する変動表示遊技を行う図柄表示制御手段とを備えて構成される遊技機において、図柄表示制御手段は、少なくとも１つの特別図柄列の変動表示の停止態様の違いにより、その後の遊技の展開に関する情報を遊技者に報知することを特徴とする。例えば、図柄表示制御手段は、前記情報として、大当たり入賞を発生させる直前の特別図柄の組み合わせを入賞ライン上に揃えるリーチ演出が変動表示遊技で行われる確率、またはリーチ演出の種類、または大当たり判定の結果が大当たり入賞である確率を表す大当たり信頼度を遊技者に報知する。
【０００６】
この構成によれば、遊技者は、少なくとも１つの特別図柄列の変動表示の停止態様により、リーチ演出が変動表示遊技で行われるか，リーチ演出が行われる場合はリーチ演出の種類，変動表示遊技で最終的に大当たり入賞が発生するか否かの大当たり信頼度といった、その後の遊技の展開に関する情報を少なくとも１つの特別図柄列の変動表示の停止間際に知ることができる。例えば、図柄表示手段が複数種類の特別図柄が外周に描かれた回転リールであり、図柄表示制御手段が回転リールの回転状態を変更して特別図柄列の変動表示の停止態様を変更する場合には、回転リールの回転状態の変更による特別図柄列の変動表示の停止態様の違いにより、遊技者がその後の遊技の展開に関する情報を知ることができる。このため、遊技者は、特別図柄列の停止態様から得られる情報により、その後の遊技の展開を予測でき、後に行われる演出が遊技者にとって注目すべきものか否かを、変動表示遊技の比較的初期の段階で判断できることから、常に演出に注目する必要がなくなる。
【０００７】
また、本発明は、図柄表示手段が各特別図柄列についてそれぞれ所定の方向で特別図柄を変動表示し、図柄表示制御手段が、少なくとも１つの特別図柄列について、その変動表示の停止間際に、リーチ演出が変動表示遊技で行われる確率またはリーチ演出の種類に応じた所定のタイミングで、図柄表示手段による特別図柄の変動表示の方向を逆にすることを特徴とする。
【０００８】
この構成によれば、遊技者は、特別図柄の変動表示の方向が逆になったタイミングにより、リーチ演出が変動表示遊技で行われる確率またはリーチ演出の種類を知ることができる。
【０００９】
また、本発明は、図柄表示制御手段が、少なくとも１つの特別図柄列についての停止表示タイミングを変えて大当たり信頼度の大きさを報知することを特徴とする。
【００１０】
この構成によれば、遊技者は、特別図柄列の停止表示タイミングにより大当たり信頼度の大きさを知ることができる。
【００１１】
また、本発明は、図柄表示制御手段が、停止表示タイミングが変わる特別図柄列の数により、大当たり信頼度の大きさを報知することを特徴とする。
【００１２】
この構成によれば、遊技者は、停止表示タイミングが変わる特別図柄列の数により、大当たり信頼度の大きさを知ることができる。
【００１３】
【発明の実施の形態】
次に、本発明による遊技機をパチンコ機に適用した第１の実施形態について説明する。
【００１４】
図１は、本実施形態によるパチンコ機１の遊技盤２を示す正面図である。遊技盤２の盤面中央には、回転リールユニットからなる特別図柄表示装置３が設けられている。この特別図柄表示装置３は、後述する各回転リール２２ａ〜２２ｃを回転することにより各回転リール２２ａ〜２２ｃのリールドラム２４ａ〜２４ｃに表示された各種の特別図柄を変動表示する図柄表示手段を構成している。表示された特別図柄は、表示窓３ａ，３ｂ，３ｃを介して各列３個ずつ観察される。表示窓３ａ，３ｂ，３ｃには、表示された特別図柄の組み合わせを規定する５本の入賞ライン３Ｌａ，３Ｌｂ，３Ｌｃ，３Ｌｄ，３Ｌｅが表示されている。特別図柄表示装置３に３行３列に表示された特別図柄がこれら入賞ライン３Ｌａ〜３Ｌｅのいずれかに所定の大当たり組み合わせで揃うと、大当たり入賞が発生する。
【００１５】
特別図柄表示装置３の下方には始動入賞口４が設けられている。この始動入賞口４にパチンコ球が入賞すると、特別図柄表示装置３に特別図柄が変動表示されて特別図柄ゲームが開始される。また、始動入賞口４の左右には、パチンコ球が入賞すると所定個数例えば１０個の賞球が払い出される一般入賞口５が４個設けられている。また、始動入賞口４の下方には、大当たり入賞が発生すると行われる大当たり遊技において扉が開閉する大入賞口６が設けられている。
【００１６】
大当たり遊技は、特別図柄の大当たり組み合わせが特別図柄ゲームの終了時にいずれかの入賞ライン３Ｌａ〜３Ｌｅに停止表示してから行われ、大入賞口６に所定個数例えば１０個のパチンコ球が入賞するまで、または所定時間例えば３０秒が経過するまで、大入賞口６が開放したままになる遊技が最大で例えば１５ラウンド行われる。ラウンド中に、大入賞口６へ入賞したパチンコ球が大入賞口６の内部に設けられたＶゾーンと呼ばれる特定の領域に入賞すると、次のラウンドへ継続して進むことが出来るが、ラウンド中にＶゾーンに入賞しなかった場合はいわゆるパンクとなり、１５ラウンド到達以前であっても大当たり遊技はそのラウンドで打ち切られて終了となる。
【００１７】
また、特別図柄表示装置３の右方には、「○」印を背後から照らす緑色ＬＥＤ（発光ダイオード）および「×」印を背後から照らす赤色ＬＥＤが上下に並設された普通図柄表示装置７が設けられている。普通図柄表示装置７は、始動入賞口４の左下方に設けられた通過ゲート９をパチンコ球が通過すると、緑色ＬＥＤおよび赤色ＬＥＤを交互に点滅させて普通図柄ゲームを開始する。この普通図柄ゲームでは、緑色ＬＥＤの点灯で停止すると入賞発生となり、始動入賞口４の球受入口が一定時間拡張する。また、特別図柄表示装置３の直ぐ下方には、８個のＬＥＤが機器前面に横一列に配設された８連ＬＥＤ表示装置８が設けられており、その発光態様によって報知演出等を行う。
【００１８】
図２は特別図柄表示装置３を構成する回転リールユニット２０の構成を示す正面透視図であり、図３はその平面図、図４はその右側面図である。
【００１９】
特別図柄表示装置３の表示窓３ａ，３ｂ，３ｃの背後に設けられたリールケース２１内には、各表示窓３ａ，３ｂ，３ｃに対応する位置に３個の回転リール２２ａ，２２ｂ，２２ｃが収納されている。各回転リール２２ａ，２２ｂ，２２ｃは、ステッピングモータ２３ａ，２３ｂ，２３ｃにリールドラム２４ａ，２４ｂ，２４ｃが装着されて構成されている。各リールドラム２４ａ，２４ｂ，２４ｃの外周には複数の特別図柄が所定の順序で配列表示されたリール帯２５ａ，２５ｂ，２５ｃが貼られている。特別図柄表示装置３は、ステッピングモータ２３ａ，２３ｂ，２３ｃによってリールドラム２４ａ，２４ｂ，２４ｃを順方向または逆方向に回転させた後、所定の順序で各リールドラム２４ａ，２４ｂ，２４ｃの回転を停止させて、３列３行計９個の特別図柄の組み合わせを表示窓３ａ，３ｂ，３ｃに停止表示させる。
【００２０】
リールドラム２４ａ，２４ｂ，２４ｃには位置検出用のインデックス２６ａ，２６ｂ，２６ｃが設けられており、このインデックス２６ａ〜２６ｃが図示しないインデックス検出用のセンサによって検出されることにより、リールドラム２４ａ〜２４ｃの初期位置（停止位置）が検出される。
【００２１】
また、各回転リール２２ａ，２２ｂ，２２ｃの内部には、各リール帯２５ａ，２５ｂ，２５ｃに描かれた特別図柄を背後から照明するリールバックライト２７ａ，２７ｂ，２７ｃが設けられている。これらリールバックライト２７ａ，２７ｂ，２７ｃは、各表示窓３ａ，３ｂ，３ｃに３個ずつ表示される特別図柄をそれぞれ背後から照明する一対の内蔵ＬＥＤａ１，ａ２、ＬＥＤｂ１，ｂ２、ＬＥＤｃ１，ｃ２が、図５に示すように各回転リール２２ａ，２２ｂ，２２ｃ毎に３組ずつ設けられて構成されている。
【００２２】
図６は、リールドラム２４ａ，２４ｂ，２４ｃの外周に貼られたリール帯２５ａ，２５ｂ，２５ｃに描かれた特別図柄の列を示している。各特別図柄列は、複数種類の特別図柄が１２個配列されて構成されており、図の左から順に左リール２２ａ，中リール２２ｂ，右リール２２ｃに対応している。各特別図柄には“１〜１２”のコードナンバが付されており、各回転リール２２ａ，２２ｂ，２２ｃが順方向に回転すると特別図柄列が図の下方向に移動し、逆方向に回転すると特別図柄列が図の上方向に移動するようになっている。
【００２３】
特別図柄の種類には、数字の７と太鼓のばちを持ったキャラクタとの組み合わせからなる「ばち」、数字の７と金魚すくいのすくい手（ポイ）を持ったキャラクタとの組み合わせからなる「金魚すくい」、および、数字の７と祭団扇を持ったキャラクタとの組み合わせからなる「団扇」がある。また、その他に、太鼓の絵からなる「太鼓」、金魚の絵からなる「金魚」、風車の絵からなる「風車」、および、水風船ヨーヨーの絵からなる「ヨーヨー」といった特別図柄がある。このうち、特別図柄「ヨーヨー」を除くそれ以外のいずれかの特定の特別図柄が、表示窓３ａ，３ｂ，３ｃのいずれかの入賞ライン３Ｌａ〜３Ｌｅ上に３個揃って停止表示されると大当たり入賞が発生する。
【００２４】
大当たり入賞には、大当たり遊技後の次回の特別図柄ゲームにおける大当たり判定が所定の大当たり入賞発生確率で行われる通常大当たりと、大当たり遊技後の次回の特別図柄ゲームにおける大当たり判定が所定の大当たり入賞発生確率よりも高い大当たり入賞発生確率で行われる確率変動大当たりとがある。
【００２５】
図７は、本実施形態によるパチンコ機１の遊技動作を処理制御する電子回路の主な構成を示すブロック図である。この電子回路は主基板３０を主な構成要素として遊技盤２の背面に形成されている。
【００２６】
主基板３０には、中央演算処理装置（ＣＰＵ）や記憶手段である読み書き可能メモリ（ＲＡＭ）、読み出し専用メモリ（ＲＯＭ）といった電子部品が実装されている。ＲＯＭには、ＣＰＵがパチンコ機の遊技動作を処理制御するためのプログラムが記憶格納されており、その他、後述する乱数抽選によって大当たり判定をする際に参照される大当たり判定テーブルや、演出パターンを抽選する際に参照される演出パターン選択テーブル等の各種確率テーブルも記憶格納されている。  このうち、演出パターン選択テーブルは、特別図柄ゲームにおいて特別図柄表示装置３の表示窓３ａ〜３ｃに表示される特別図柄の変動パターンを、演出パターン選択用乱数カウンタを用いた乱数抽選により、複数種類の演出パターンに振り分けるものである。演出パターン選択テーブルは、特別図柄ゲームが大当たりの場合の大当たり演出パターン、リーチ有りのハズレの場合のリーチ有りハズレ演出パターン、およびリーチ無しのハズレの場合のリーチ無しハズレ演出パターン、の各演出パターンから構成されている。
【００２７】
リーチ演出には、大当たり判定の結果に応じた特別図柄を入賞ライン３Ｌａ〜３Ｌｅ上に揃えて停止表示するまでの間の遊技動作中に、遊技者に期待感を持たせたり、遊技者の興味を演出に引きつけるための様々なものがある。本実施形態においては、リーチ演出として、図８に示す、ノーマルリーチ，ノーマルロングリーチ，神輿リーチ，盆踊りリーチ，および盆踊りスーパーリーチがある。各リーチ演出は、後述する大当たり判定での判定結果が大当たり入賞である確率を表す大当たり信頼度に対応付けられており、各リーチ演出の大当たり信頼度は、図８に示すように、ノーマルリーチが「約０．７％」，ノーマルロングリーチが「約１２％」，神輿リーチが「約２４％」，盆踊りリーチが「約１３％」，盆踊りスーパーリーチが「約６４％」となっている。
【００２８】
また、主基板３０は、大当たり判定用乱数カウンタ、大当たり図柄決定用乱数カウンタ、ハズレ図柄決定用乱数カウンタ、リーチ動作決定用乱数カウンタおよび演出パターン選択用乱数カウンタといった各種乱数カウンタをＣＰＵに持っている。このうち、ハズレ図柄決定用乱数カウンタは、左図柄決定用乱数カウンタ、中図柄決定用乱数カウンタおよび右図柄決定用乱数カウンタを備えて構成されている。主基板３０は、大当たり判定用乱数カウンタを用いて抽選により大当たり入賞を発生させるか否かの大当たり判定を行う大当たり判定手段を構成している。
【００２９】
主基板３０には、始動入賞口４へ入賞したパチンコ球を検知する始動入賞球センサ４Ｓ、一般入賞口５へ入賞したパチンコ球を検知する一般入賞球センサ５Ｓ、大入賞口６へ入賞したパチンコ球を検知する大入賞球センサ６Ｓ、始動ゲート９を通過したパチンコ球を検知する通過球センサ９Ｓ、および大入賞口６に設けられたＶゾーンへ入賞したパチンコ球を検知するＶ入賞球センサ１０Ｓが接続されている。
【００３０】
主基板３０からの制御信号により動作が制御される主な装置としては、始動入賞口４の球受入口を拡張させる始動入賞装置３１、大入賞口６の扉を開閉させる大入賞装置３２、スピーカ等の音声出力装置３３、賞球や貸球を払い出す払出装置３４、パチンコ球を遊技盤２の盤面に発射する玉発射装置３５、および前述の８連ＬＥＤ表示装置８がある。８連ＬＥＤ表示装置８はＬＥＤ制御基板３６、音声出力装置３３は音声制御基板３７、払出装置３４および発射装置３５は賞球制御基板３８によってそれぞれ動作が制御される。このうち音声出力装置３３は、音声制御基板３７の制御により、図９に示すように、特別図柄表示装置３の表示窓３ａ〜３ｃに変動表示する特別図柄の停止間際に、太鼓をばちで叩く際に生じる「ドン」という音声を所定の時間間隔で出力する。この音声は、表示窓３ａ，３ｃでの変動表示の停止の際はそれぞれ３回出力され、表示窓３ｂでの変動表示の停止の際は１回出力される。
【００３１】
また、特別図柄表示装置３も主基板３０からの制御信号により、図柄制御基板４０によって動作が制御される。図柄制御基板４０には、図柄制御を実行するＣＰＵ４１や、このＣＰＵ４１で実行する図柄制御プログラム等を格納するＲＯＭ４２、図柄制御プログラムを実行するときに一時的な記憶手段として用いられるＲＡＭ４３が実装されている。また、図柄制御基板４０には、ＣＴＣ（カウンタ・タイマ・サーキット）４４、リセットＩＣ４５、ＬＥＤ制御インターフェイス４６、およびステッピングモータ制御インターフェイス４７が実装されている。ＣＴＣ４４は、所定時間毎に割り込みをかけ、制御プログラムによるＣＰＵ４１の処理が異常な処理ルーチンに入ったことを検出すると、ＣＰＵ４１を初期状態に戻すためのリセット命令を発する。リセットＩＣ４５は、ＣＴＣ４４からのリセット命令によりリセット信号を発する。ＬＥＤ制御インターフェイス４６は、リールバックライト２７ａ，２７ｂ，２７ｃを構成する各内蔵ＬＥＤａ１，ａ２、ＬＥＤｂ１，ｂ２、ＬＥＤｃ１，ｃ２の点灯制御を行う。ステッピングモータ制御インターフェイス４７は、ＣＰＵ４１からの制御信号をステッピングモータ２３ａ〜２３ｃに出力し、回転リール２２ａ〜２２ｃを回転駆動する。
【００３２】
主基板３０および図柄制御基板４０は、大当たり判定の結果に応じて表示窓３ａ〜３ｃに特別図柄列を変動表示して特別図柄ゲームを行い、少なくとも１つの表示窓３ａ〜３ｃについての特別図柄列の変動表示の停止態様の違いにより、その後の遊技の展開に関する情報を遊技者に報知する図柄表示制御手段を構成している。
【００３３】
本実施形態では、特別図柄ゲームにおける各表示窓３ａ〜３ｃでの特別図柄列の変動表示は、図９（ａ）に示すように行われる。まず、図柄表示装置３の各表示窓３ａ〜３ｃに特別図柄列を順方向に変動表示している状態から、音声出力装置３３による音声の出力に同期させて、表示窓３ａでの特別図柄列の変動表示をを２度仮停止した後に、最終停止する。次いで、音声出力装置３３による音声の出力に同期させて、表示窓３ｃでの特別図柄列の変動表示を２度仮停止した後に、最終停止する。この時点でリーチ状態が生じている場合には、リーチ演出を行った後、最後に、音声出力装置３３による音声の出力に同期させて、表示窓３ｂについての変動表示を停止して、特別図柄ゲームを終了する。
【００３４】
遊技の展開に関する情報は、本実施形態では、表示窓３ｃについての変動表示の停止間際に、所定のタイミングで特別図柄列の変動表示の方向を逆方向にすることにより報知する。
【００３５】
本実施形態においては、遊技者に報知する情報は、特別図柄ゲームでリーチ演出が行われる確率，リーチ演出が行われる場合のリーチ演出の種類であり、表示窓３ｃについて行われる２度の仮停止のうちのいずれかの仮停止の後に特別図柄が逆方向に変動表示した場合には、１００〔％〕の確率でリーチ演出が行われ、リーチ確定となる。また、リーチ演出の種類は、図９（ｂ）に示すように、順方向の下側に変動表示している特別図柄列が逆方向の上側に変動表示したタイミングにより異なる。例えば、リーチ演出が盆踊りリーチ演出の場合は、特別図柄列が「下−上−下」と変動表示し、１度目の仮停止の後に特別図柄列が逆方向に変動表示して２度目の仮停止を行い、その後順方向に変動表示して最終停止表示する。また、神輿リーチの場合は、特別図柄列が「下−上−上」と変動表示し、１度目の仮停止表示の後に特別図柄列が逆方向に変動表示して２度目の仮停止を行い、更に逆方向への変動表示を続けて最終停止表示する。また、「下−下−上」と２度目の仮停止の後に始めて特別図柄列が逆方向に変動表示した場合には、ノーマルリーチ，ノーマルロングリーチ，神輿リーチ，盆踊りリーチ，盆踊りスーパーリーチの何れかが行われる。
【００３６】
次に、本実施形態によるパチンコ機１の遊技動作の処理について説明する。
【００３７】
図１０は、本実施形態によるパチンコ機１の主基板３０で行われるメイン遊技処理の概略を示すフローチャートである。メイン遊技処理では、パチンコ機１の電源が投入されると、まず始めに、主基板３０のＣＰＵがリセットされて動作の初期設定処理が行われる（図１０，ステップ１０１参照）。次に、割込み許可フラグがセットされて割込処理が許可され（ステップ１０２）、続いて、特別図柄ゲーム制御処理が行われる（ステップ１０３）。
【００３８】
図１１は、所定時間毎例えば３〔ｍｓｅｃ〕ごとに主基板３０で行われる割込処理の概略を示すフローチャートである。
【００３９】
この割込処理においては、まず、始めに、主基板３０のＣＰＵ内の各レジスタの内容がＲＡＭに退避される（図１１，ステップ２０１参照）。次に、各種乱数カウンタの更新処理がＣＰＵによって行われる（ステップ２０２）。この乱数カウンタの更新処理では、大当たり判定用乱数カウンタや大当り図柄決定用乱数カウンタ、演出パターン選択用乱数カウンタ等の各カウント値が割込処理毎にカウントアップされて更新される。次に、大当たりが発生した際に開放する大入賞口６の開放時間や特別図柄の変動表示時間等を計時するタイマの更新処理が行われ（ステップ２０３）、続いて、各入力信号処理が行われる（ステップ２０４）。
【００４０】
各入力信号処理では、大当たり遊技中に大入賞口６にパチンコ球が入賞して、これを検知した大入賞球センサ６Ｓからの入力信号があるか否かがチェックされ、後述する払出処理において例えば１５個の賞球を払い出すよう制御信号が生成される。また、一般入賞口５にパチンコ球が入賞して、これを検知した一般入賞球センサ５Ｓからの入力信号があるか否かがチェックされ、払出処理において例えば１０個の賞球を払い出すよう制御信号が生成される。また、始動入賞口４にパチンコ球が入賞して、これを検知した始動入賞球センサ４Ｓからの入力信号があるか否かがチェックされ、払出処理において例えば５個の賞球を払い出すよう制御信号が生成される。また、通過ゲート９をパチンコ球が通過して、これを検知した通過球センサ９Ｓからの入力信号があるか否かがチェックされ、普通図柄処理を行う制御命令が生成される。
【００４１】
各入力信号処理に続いて、次に、上記の普通図柄処理が行われる（ステップ２０５）。この普通図柄処理では、まず、上述の各入力信号処理において通過球センサ９Ｓからの入力信号に応じた制御命令が生成されていると、ＣＰＵによって普通図柄入賞判定が行われる。この普通図柄入賞判定は、ＣＰＵが持つ普通図柄判定用乱数カウンタから乱数が抽出され、抽出された乱数がＲＯＭに記憶格納された普通図柄選択テーブルの入賞区画にあるか否かが判定されることによって行われる。そして、この普通図柄入賞判定の判定結果に基づき、ＣＰＵによって普通図柄表示装置７を構成する緑色および赤色の２つのＬＥＤが点灯制御される。判定結果が当たりの場合は、交互に点滅制御されていた緑色ＬＥＤと赤色ＬＥＤとが緑色ＬＥＤのみの点灯にされて「○」印が照らし出され、始動入賞口４の球受入口が一定時間拡張される。また、判定結果がハズレの場合は、交互に点滅制御されていた緑色ＬＥＤと赤色ＬＥＤとが赤色ＬＥＤのみの点灯にされて「×」印が照らし出され、普通図柄処理は終了する。
【００４２】
次に、装飾制御処理が行われ（ステップ２０６）、続いて払出処理が行われる（ステップ２０７）。装飾制御処理では、主基板３０からの制御信号によって、枠ランプ等の各種装飾ランプが発光制御される。払出処理では、前述の各種入力信号処理の処理結果に応じて賞球制御基板３８へ制御信号が送信される。払出装置３４は、この制御信号に基づいて制御され、所定数の賞球を払い出す。
【００４３】
次に、各種装置から発生されるエラー信号に応じ、各信号に対して予め定められたエラー処理が行われる（ステップ２０８）。次に、コマンド送信処理が行われ（ステップ２０９）、ＲＡＭに記憶格納された各制御信号が、図柄制御基板４０、ＬＥＤ制御基板３６、音制御基板３７および賞球制御基板３８等に送信される。特別図柄表示装置３、８連ＬＥＤ８、音声出力装置３３、および払出装置３４は、このステップ２０９で送信された制御信号に基づいて駆動される。
【００４４】
次に、ステップ２０１でＲＡＭに退避された主基板３０のＣＰＵ内の各レジスタの内容が復帰され（ステップ２１０）、割込許可フラグがセットされて（ステップ２１１）、割込処理は終了する。
【００４５】
図１２は、図１０に示したメイン遊技制御処理のステップ１０３において行われる特別図柄ゲーム制御処理の詳細を示すフローチャートである。
【００４６】
特別図柄ゲーム制御処理では、まず、パチンコ球の始動入賞口４への入賞があるか否かが判別される（図１２，ステップ１１１参照）。始動入賞口４への入賞がない場合は、装飾ランプ等によって通常遊技表示やデモ表示がされる（ステップ１１２）。一方、始動入賞口４への入賞がある場合、大当たり判定が行われる。大当たり判定は、主基板３０のＣＰＵが大当たり判定用乱数カウンタから乱数を抽出し、抽出した乱数値がＲＯＭに記憶格納された大当たり判定テーブルの大当たりの区画にあるか否かを判定することによって行われる。抽出した乱数値が大当たりの区画にあると大当たり入賞になり、大当たりの区画にないとハズレになる。
【００４７】
次に、大当たり判定の結果が大当たりであるか否かが判別され（ステップ１１３）、大当たりである場合、大当たり図柄が決定される（ステップ１１４）。
【００４８】
大当たり図柄の決定に際し、ＣＰＵは、大当たり図柄決定用乱数カウンタより乱数を抽出し、大当たり図柄決定用テーブルを参照して特別図柄の１つの大当たり組み合わせを決定する。続いて、ＣＰＵは、演出パターン選択用乱数カウンタから乱数を抽出し、主基板３０のＲＯＭに格納された演出パターン選択テーブルを参照して１つの大当たり演出パターンを決定する（ステップ１１５）。
【００４９】
一方、ステップ１１３の判別の結果が大当たりでない場合、つまり、ハズレの場合は、リーチを発生させてからハズレにするか、リーチを発生させずにそのままハズレにするかが決定される（ステップ１１６）。リーチを発生させるか否かの決定に際し、ＣＰＵは、リーチ動作決定用乱数カウンタより乱数を抽出し、抽出した乱数値がリーチ判定テーブルの「リーチ有り」または「リーチ無し」の何れの区画に属するかを判定してリーチ演出を行うか否かを決定する。この判定の結果、リーチ有りとなった場合、ＣＰＵは、ハズレ図柄決定用乱数カウンタから乱数を抽出し、ＲＯＭに記憶された停止図柄選択テーブルを参照して、リーチ演出が行われてからハズレになるようにハズレ停止図柄を決定する（ステップ１１７）。続いて、ＣＰＵは、演出パターン選択用乱数カウンタより乱数を抽出し、演出パターン選択テーブルを参照して１つのリーチ有りハズレ演出パターンを決定する（ステップ１１８）。
【００５０】
また、ステップ１１６でリーチ無しとなった場合は、ＣＰＵは、ハズレ図柄決定用乱数カウンタから乱数を抽出し、停止図柄選択テーブルを参照して、リーチ演出が行われずにハズレになるようにハズレ停止図柄を決定する（ステップ１１９）。続いて、ＣＰＵは、演出パターン選択用乱数カウンタより乱数を抽出し、演出パターン選択テーブルを参照して１つのリーチ無しハズレ演出パターンを決定する（ステップ１２０）。
【００５１】
次に、決定された特別図柄の停止表示並びに選択された演出パターンでの演出がなされるように、図柄制御基板４０に対する制御信号（コマンド）がＣＰＵによって生成され、一時主基板３０のＲＡＭに記憶格納される（ステップ１２１）。ＲＡＭに記憶格納された制御コマンドは、前述した図１１の割込み処理のステップ２０９において図柄制御基板４０へ送信される。
【００５２】
次に、大当たり判定の結果が大当たりであったか否かが判別される（ステップ１２２）。大当たり判定の結果が大当たりであった場合は、大当たり遊技処理が行われる（ステップ１２３）。この大当たり遊技処理では、大当たり遊技中の大入賞口６の扉の開閉管理に関する制御が行われる。その後、特別図柄ゲーム制御終了処理（ステップ１２４）が行われて特別図柄ゲーム制御処理は終了する。一方、ステップ１２２の判別の結果が大当たりでない場合は、ステップ１２４の特別図柄ゲーム制御終了処理が行われて、特別図柄ゲーム制御処理は終了する。
【００５３】
図１３は、図柄制御基板４０で行われる処理の概略を示すフローチャートである。
【００５４】
図柄制御基板４０では、パチンコ機１の電源投入時にＣＰＵ４１の動作の初期設定処理が行われる（図１３，ステップ３０１参照）。次に、主基板３０より受信した受信コマンドの解析が行われ（ステップ３０２）、その後、解析されたコマンドに基づく演出管理処理が行われ（ステップ３０３）、乱数が更新される（ステップ３０４）。
【００５５】
また、図柄制御基板４０は、主基板３０からコマンドが送信されると、図１４に示すように、主基板３０からのコマンドデータを受信し（図１４，ステップ３１１参照）、その受信したコマンドデータをＲＡＭ４３に格納する（ステップ３１２）。
【００５６】
図１５は、所定時間毎例えば０．７５〔ｍｓｅｃ〕ごとに図柄制御基板４０で行われる内部タイマ割込み処理の概略を示すフローチャートである。この内部タイマ割込み処理では、まず、回転リール２２ａ〜２２ｃのリールドラム２４ａ〜２４ｃの変動制御や、リールバックライト２７ａ〜２７ｃの点灯を行うためのデータ出力処理が行われる（図１５，ステップ３２１参照）。次に、リールドラム２４ａ〜２４ｃの初期位置を把握するために、インデックス検出用のセンサによってリールドラム２４ａ〜２４ｃのインデックス２６ａ〜２６ｃが検出され、入力したデータが１→０→０と変化した時点でインデックス２６ａ〜２６ｃの検知として、その場所がリールドラム２４ａ，２４ｂ，２４ｃの初期値として読み込まれる（ステップ３２２）。次に、特別図柄制御処理が行われ（ステップ３２３）、続いて、バックライト制御処理が行われる（ステップ３２４）。
【００５７】
図１６は、上記内部タイマ割込み処理のステップ３２３において行われる特別図柄制御処理の詳細を示すフローチャートである。この特別図柄制御処理では、まず、主基板３０から入力した変動コマンドに応じて左側の回転リール２２ａの回転制御が開始される（図１６，ステップ３３１参照）。次に、主基板３０から入力した変動コマンドに応じて右側の回転リール２２ｃの回転制御が開始され（ステップ３３２）、続いて、真ん中の回転リール２２ｂの回転制御が開始される（ステップ３３３）。その後、各回転リール２２ａ，２２ｂ，２２ｃの回転制御に関する動作信号が生成され（ステップ３３４）、特別図柄制御処理は終了する。このようにして生成された動作信号をステッピングモータ制御インターフェイス４７がステッピングモータ２３ａ〜２３ｃに出力して、各回転リール２２ａ〜２２ｃの回転制御が行われる。
【００５８】
例えば、変動コマンドがリーチ演出として盆踊りリーチを行うものである場合、次のようにして各回転リール２２ａ〜２２ｃの回転制御が行われる。
【００５９】
まず、左，中，右の各回転リール２２ａ〜２２ｃをそれぞれ順方向に回転させて、各回転リール２２ａ〜２２ｃのリールドラム２４ａ〜２４ｃの外周に描かれた特別図柄列を、図柄表示装置３の表示窓３ａ〜３ｃの上方から下方にかけて順方向に変動表示する。この状態から、音声出力装置３３からの音声の出力に同期させて左回転リール２２ａの順方向の回転を間歇的に停止する。つまり、図１７（ａ），（ｂ）に順に示すように、音声「ドン」，「ドン」の出力に同期させて、各特別図柄列を表示窓３ａの各入賞ライン３Ｌａ〜３Ｌｅ上で仮停止表示した後、図１７（ｃ）に示すように、３回目の音声「ドン」の出力に同期させて、通常図柄「金魚」を入賞ライン３Ｌａ上で最終停止表示する。
【００６０】
次いで、音声出力装置３３からの音声の出力に同期させて右回転リール２２ｃの「下−上−下」の回転を間歇的に停止する。つまり、図１８（ｄ）に示すように、１回目の音声「ドン」の出力に同期させて、通常図柄「金魚」を表示窓３ｃの入賞ライン３Ｌａ上で仮停止表示する。次いで、右回転リール２２ｃの回転方向を逆方向にして特別図柄列を表示窓３ｃの下方から上方にかけて逆方向に変動表示し、図１８（ｅ）に示すように、２回目の音声「ドン」の出力に同期させて、通常図柄「金魚」を表示窓３ｃの入賞ライン３Ｌｅ上で仮停止表示する。次いで、右回転リール２２ｃの回転方向を順方向にして特別図柄列を表示窓３ｃの上方から下方にかけて順方向に変動表示し、図１８（ｆ）に示すように、３回目の音声「ドン」の出力に同期させて、通常図柄「金魚」を表示窓３ｃの入賞ライン３Ｌａ上で最終停止表示する。これにより、入賞ライン３Ｌａ上で特別図柄「金魚」についてリーチ状態が生じ、盆踊りリーチ演出が所定時間行われる。最後に、音声出力装置３３からの音声の出力に同期させて中回転リール２２ｂの回転を停止する。つまり、図１９（ｇ）に示すように、音声「ドン」の出力に同期させて、通常図柄「金魚」を表示窓３ｂの入賞ライン３Ｌａ上で停止表示する。
【００６１】
このように、本実施形態のパチンコ機１は、表示窓３ｃにおいて特別図柄列を所定タイミングで逆方向に変動し、表示窓３ｃでの特別図柄列の最終停止表示間際に、リーチ演出が行われる確率およびリーチ演出の種類を報知するようになっている。上述した例では、表示窓３ｃでの特別図柄列の変動表示の方向が、１度目の仮停止表示の後に逆方向となり、２度目の仮停止表示の後に順方向となることにより、特別図柄ゲームにおいてリーチ演出が１００〔％〕の確率で行われること、およびリーチ演出の種類が盆踊りリーチであることが報知される。
【００６２】
図２０は、図１５に示す内部タイマ割込み処理のステップ３２４において行われるバックライト制御処理の詳細を示すフローチャートである。このバックライト制御処理では、まず、パチンコ機１の各種エラーが発生したか否かが判別され（図２０，ステップ３４１参照）、エラーが発生した場合は、エラー用の点灯が行われる（ステップ３４２）。このエラー用の点灯は、ＬＥＤ制御インターフェイス４６により内蔵ＬＥＤａ１，ａ２、ＬＥＤｂ１，ｂ２、ＬＥＤｃ１，ｃ２が不規則に点灯されるなどして行われる。通常の点灯状態とは異なるこの不規則な点灯状態によって、パチンコ機１の異常発生が遊技者に報知される。一方、ステップ３４１でエラーが発生してないと判別された場合は、ＬＥＤ制御インターフェイス４６が駆動されてリールバックライト２７ａ〜２７ｃの所定の制御処理が行われる（ステップ３４３）。この所定の制御処理とは、大当たり発生時等に内蔵ＬＥＤａ１，ａ２、ＬＥＤｂ１，ｂ２、ＬＥＤｃ１，ｃ２が所定のパターンで点滅されたりなどする処理である。続いて、このリールバックライト２７ａ〜２７ｃの制御結果の出力信号が生成され（ステップ３４４）、バックライト制御処理は終了する。
【００６３】
このような本実施形態によるパチンコ機１によれば、遊技者は、特別図柄表示装置３の表示窓３ｃでの特別図柄列が逆方向に変動表示するのを確認することにより、特別図柄ゲームでリーチ演出が行われるのを知ることができ、また、いずれの仮停止表示の後に特別図柄列が逆方向に変動表示したかを確認することにより、特別図柄ゲームで行われるリーチ演出の種類を知ることができる。このように、遊技者は、その後の遊技の展開に関する情報を、表示窓３ｃでの特別図柄列の変動表示の停止間際に知ることができ、得られた情報によりその後の遊技の展開を予測できる。このため、後に行われる演出が遊技者にとって注目すべきものか否かを、特別図柄ゲームの比較的初期の段階で判断でき、常に演出に注目する必要がなくなる。
【００６４】
なお、本実施形態においては、リーチ演出として盆踊りリーチを行う場合について具体的に説明したが、神輿リーチ等の他のリーチ演出を行う場合にも、遊技者は、その後の遊技の展開に関する情報を、図９（ｂ）に示すように、表示窓３ｃでの特別図柄の変動表示の停止間際に得ることができるため、上記実施形態と同様な作用・効果が奏される。
【００６５】
また、特別図柄列の変動表示の方向を逆方向とするタイミング、および変動表示の方向を逆方向とする表示窓３ａ〜３ｃの種類・数については、特別図柄ゲームにおいてリーチ演出が行われる確率およびリーチ演出の種類を遊技者に報知できるのであれば、上記実施形態での組み合わせに限らず、他の組み合わせとすることもできる。さらに、特別図柄列の仮停止表示および最終停止表示は、遊技者が確認できるタイミングで行うのであれば、必ずしも音声出力装置３３からの音声の出力に同期させる必要はない。
【００６６】
次に、本発明による遊技機をパチンコ機に適用した第２の実施形態について説明する。
【００６７】
本実施形態によるパチンコ機の構成は、主基板３０および図柄制御基板４０から構成される図柄表示制御手段が、少なくとも１つの特別図柄列についての停止表示タイミングを変えることにより、また、停止表示タイミングが変わる特別図柄列の数により、大当たり信頼度の大きさを報知する点が第１の実施形態によるパチンコ機１と相違する以外は、第１の実施形態によるパチンコ機１と同じである。
【００６８】
本実施形態では、表示窓３ａ，３ｃでの変動表示の最終停止が、音声出力装置３３による音声の出力に所定時間遅れてなされることにより、その特別図柄ゲームにおける大当たり信頼度が報知される。本実施形態では、図２１に示すように報知される大当たり信頼度は１０％と１００％の２種類であり、図２２（ａ）に示すように、表示窓３ａでの変動表示の最終停止のタイミングが音声出力タイミングから遅れた場合には大当たり信頼度「１０％」が報知され、図２２（ｂ）に示すように、表示窓３ａおよび表示窓３ｃでの変動表示の最終停止のタイミングが音声出力タイミングから遅れた場合には大当たり信頼度「１００％」が報知される。
【００６９】
例えば、大当たり信頼度「１００％」が報知される場合には、図柄表示装置３の表示窓３ａ〜３ｃの上方から下方にかけて特別図柄列が変動表示している状態から、音声出力装置３３からの１度目および２度目の音声「ドン」，「ドン」の出力に同期させて、図２３（ａ），（ｂ）に順に示すように、各特別図柄列を表示窓３ａの各入賞ライン３Ｌａ〜３Ｌｅ上で２度仮停止表示する。そして、音声出力装置３３からの３度目の音声「ドン」の出力の際には、図２３（ｃ）に示すように２度目の仮停止状態を保ち、その後特別図柄列を変動表示して、図２４（ｄ）に示すように通常図柄「金魚」を入賞ライン３Ｌａ上で最終停止表示する。
【００７０】
次いで、音声出力装置３３からの１度目および２度目の音声「ドン」，「ドン」の出力に同期させて、図２５（ａ），（ｂ）に順に示すように、各特別図柄列を表示窓３ｃの各入賞ライン３Ｌａ〜３Ｌｅ上で２度仮停止表示する。そして、音声出力装置３３からの３度目の音声「ドン」の出力の際には、図２５（ｃ）に示すように２度目の仮停止状態を保ち、その後特別図柄列を変動表示して、図２６（ｄ）に示すように通常図柄「金魚」を入賞ライン３Ｌａ上で最終停止表示する。最後に、音声出力装置３３からの音声「ドン」の出力に同期させて表示窓３ｂでの特別図柄列の変動表示を停止して、図２７に示すように、通常図柄「金魚」を表示窓３ｂの入賞ライン３Ｌａ上で停止表示する。このように、報知する大当たり信頼度に応じて、表示窓３ａ，３ｃで行われる最終停止表示のタイミングを、音声出力装置３３からの音声の出力から所定時間遅らせて、遊技者に大当たり信頼度を報知する。
【００７１】
このような第２の実施形態によるパチンコ機によれば、遊技者は、表示窓３ａ，３ｃでの変動表示の最終停止表示のタイミングが、音声出力装置３３からの音声「ドン」の出力に遅れたのを確認することにより、大当たり信頼度を知ることができる。従って、遊技者は、その後の遊技の展開に関する情報を、表示窓３ａ，３ｃでの特別図柄の変動表示の停止間際に知ることができ、得られた情報によりその後の遊技の展開を予測できる。このため、後に行われる演出が遊技者にとって注目すべきものか否かを、特別図柄ゲームの比較的初期の段階で判断でき、このため、本実施形態によっても常に演出に注目する必要がなくなる。
【００７２】
なお、本実施形態においては、遊技者に報知する大当たり信頼度を１０％と１００％の２種類としたが、報知する大当たり信頼度の大きさは任意であり、適宜変更して差し支えない。また、本実施形態においては、表示窓３ａ，３ｃでの変動表示の停止タイミングの遅れにより大当たり信頼度を報知したが、いずれか１方の表示窓３ａまたは３ｃのみの変動表示の停止タイミングの遅れにより大当たり信頼度を報知してもよい。これらの場合でも、上記実施形態の場合と同様な作用・効果が奏される。
【００７３】
上記各実施形態においては、特別図柄列を変動表示する図柄表示手段として、特別図柄が外周に描かれた回転リール２２ａ〜２２ｃを用いて、図柄表示制御手段である主基板３０および図柄制御基板４０が、各回転リール２２ａ〜２２ｃの回転を制御して、特別図柄列を変動表示する構成としたが、本発明はこれに限定されることはない。例えば、図柄表示手段として液晶表示装置等の画像表示装置を用いてもよい。この構成によっても、上記実施形態と同様な作用・効果が奏される。
【００７４】
また、上記各実施形態においては、本発明をパチンコ機に適用した場合について説明したが、本発明はこれに限定されることはない。例えば、上記の実施形態で説明したゲームプログラムを家庭用ゲーム機やパーソナルコンピュータ等に備えられたコンピュータで実行することもできる。この場合においても、上記の実施形態と同様な作用・効果が奏される。この構成によっても、上記実施形態と同様な作用・効果が奏される。
【００７５】
【発明の効果】
以上説明したように本発明によれば、遊技者は、少なくとも１つの特別図柄列の変動表示の停止態様により、その後の遊技の展開に関する情報を少なくとも１つの特別図柄列の変動表示の停止間際に知ることができる。このため、遊技者は、特別図柄列の停止態様から得られる情報により、その後の遊技の展開を予測でき、後に行われる演出が遊技者にとって注目すべきものか否かを、変動表示遊技の比較的初期の段階で判断できることから、常に演出に注目する必要がなくなる。この結果、遊技者の負担を軽減でき、遊技者が長時間の遊技にも耐えられる遊技機が提供される。
【図面の簡単な説明】
【図１】本発明の第１の実施形態によるパチンコ機の遊技盤面を示す正面図である。
【図２】本発明の第１の実施形態によるパチンコ機の特別図柄表示装置を構成する回転リールユニットの正面透視図である。
【図３】図２に示す回転リールユニットの平面透視図である。
【図４】図２に示す回転リールユニットの側面透視図である。
【図５】図２に示す回転リールユニットに設けられたリールバックライトの構成を概略的に示す図である。
【図６】図２に示す回転リールユニットの回転リールの外周に描かれた特別図柄列を示す図である。
【図７】本発明の第１の実施形態によるパチンコ機の遊技動作を処理制御する電子回路の主な構成を示すブロック図である。
【図８】本発明の第１の実施形態によるパチンコ機におけるリーチ演出と大当たり信頼度との関係を示す図である。
【図９】本発明の第１の実施形態によるパチンコ機における各特別図柄列の変動表示と音声出力との時間的関係を示すタイミングチャートである。
【図１０】本発明の第１の実施形態によるパチンコ機において主基板が行うメイン遊技制御処理の概略を示すフローチャートである。
【図１１】本発明の第１の実施形態によるパチンコ機において主基板が行う割込処理の概略を示すフローチャートである。
【図１２】図１０に示すフローチャート中の特別図柄ゲーム制御処理の詳細を示すフローチャートである。
【図１３】本発明の第１の実施形態によるパチンコ機において図柄制御基板が行う遊技処理の概略を示すフローチャートである。
【図１４】本発明の第１の実施形態によるパチンコ機において図柄制御基板が行う主基板ＳＴＢ入力処理の概略を示すフローチャートである。
【図１５】本発明の第１の実施形態によるパチンコ機において図柄制御基板が行う内部タイマ割込み処理の概略を示すフローチャートである。
【図１６】図１５に示すフローチャート中の特別図柄制御処理の詳細を示すフローチャートである。
【図１７】図１６に示す特別図柄制御処理における各回転リールの回転制御の際の図柄の第１の変動状態を示す図である。
【図１８】図１６に示す特別図柄制御処理における各回転リールの回転制御の際の図柄の第２の変動状態を示す図である。
【図１９】図１６に示す特別図柄制御処理における各回転リールの回転制御の際の図柄の第３の変動状態を示す図である。
【図２０】図１５に示すフローチャート中のバックライト制御処理の詳細を示すフローチャートである。
【図２１】本発明の第２の実施形態によるパチンコ機における特別図柄列の停止態様と大当たり信頼度との関係を示す図である。
【図２２】本発明の第２の実施形態によるパチンコ機における各特別図柄列の変動表示と音声出力との時間的関係を示すタイミングチャートである。
【図２３】第２の実施形態での図１６に示す特別図柄制御処理における各回転リールの回転制御の際の図柄の第１の変動状態を示す図である。
【図２４】第２の実施形態での図１６に示す特別図柄制御処理における各回転リールの回転制御の際の図柄の第２の変動状態を示す図である。
【図２５】第２の実施形態での図１６に示す特別図柄制御処理における各回転リールの回転制御の際の図柄の第３の変動状態を示す図である。
【図２６】第２の実施形態での図１６に示す特別図柄制御処理における各回転リールの回転制御の際の図柄の第４の変動状態を示す図である。
【図２７】第２の実施形態での図１６に示す特別図柄制御処理における各回転リールの回転制御の際の図柄の第５の変動状態を示す図である。
【符号の説明】
１…パチンコ機
２…遊技盤
３…特別図柄表示装置
３ａ，３ｂ，３ｃ…表示窓
３Ｌａ，３Ｌｂ，３Ｌｃ，３Ｌｃ，３Ｌｄ，３Ｌｅ…入賞ライン
４…始動入賞口
５…一般入賞口
６…大入賞口
８…８連ＬＥＤ
１０Ｓ…Ｖ入賞球センサ
２０…回転リールユニット
２２ａ，２２ｂ，２２ｃ…回転リール
２７ａ，２７ｂ，２７ｃ…リールバックライト
ａ１，ａ２、ｂ１，ｂ２、ｃ１，ｃ２…内蔵ＬＥＤ
３０…主基板
３６…ＬＥＤ制御基板
３７…音制御基板
４０…図柄制御基板
４１…ＣＰＵ（中央演算処理装置）
４２…ＲＯＭ（読み出し専用メモリ）
４３…ＲＡＭ（読み書き可能メモリ）
４６…ＬＥＤ制御インターフェイス
【図１】
2004254851.tif 000003
【図２】
2004254851.tif 000004
【図３】
2004254851.tif 000005
【図４】
2004254851.tif 000006
【図５】
2004254851.tif 000007
【図６】
2004254851.tif 000008
【図７】
2004254851.tif 000009
【図８】
2004254851.tif 000010
【図９】
2004254851.tif 000011
【図１０】
2004254851.tif 000012
【図１１】
2004254851.tif 000013
【図１２】
2004254851.tif 000014
【図１３】
2004254851.tif 000015
【図１４】
2004254851.tif 000016
【図１５】
2004254851.tif 000017
【図１６】
2004254851.tif 000018
【図１７】
2004254851.tif 000019
【図１８】
2004254851.tif 000020
【図１９】
2004254851.tif 000021
【図２０】
2004254851.tif 000022
【図２１】
2004254851.tif 000023
【図２２】
2004254851.tif 000024
【図２３】
2004254851.tif 000025
【図２４】
2004254851.tif 000026
【図２５】
2004254851.tif 000027
【図２６】
2004254851.tif 000028
【図２７】
2004254851.tif 000029